(57)【要約】【課題】樹脂充填の作業性が向上する放電ランプ用点灯装置およびこの放電ランプ用点灯装置を具備する照明器具を提供する。【解決手段】放電ランプ用点灯装置１は、箱状に形成され、底板２ａと側板２ｂ，２ｃとの隙間および側板２ｂ，２ｃ同士の隙間をそれぞれ閉塞するように、内面または外面の少なくとも一方に設けられた塗装被膜８を有してなる金属製のケース本体２と、ケース本体２に収納された点灯装置本体３と、点灯装置本体３の少なくとも一部を覆うようにケース本体２の内部に充填された電気絶縁性の充填物４と、ケース本体２の開口６を覆うように前記側板２ｂ，２ｂに取り付けられた金属製のケース蓋体５とを具備している。【選択図】図１
2007273361.tif 000002
【特許請求の範囲】
【請求項１】
底板および側板を有して箱状に形成され、底板と側板との隙間および側板同士の隙間をそれぞれ閉塞するように、内面または外面の少なくとも一方に設けられた塗装被膜を有してなる金属製のケース本体と；
放電ランプを点灯させる点灯回路を備えてケース本体に収納された点灯装置本体と；
点灯装置本体の少なくとも一部を覆うようにケース本体の内部に充填された電気絶縁性の充填物と；
ケース本体の開口を覆うように前記側板に取り付けられた金属製のケース蓋体と；
を具備していることを特徴とする放電ランプ用点灯装置。
【請求項２】
ケース本体は、長尺状で矩形の底板の各端側を底板に対して略直角に折曲して側板が形成され、側板と側板との合わせ目に形成された隙間が塗装により閉塞されていることを特徴とする請求項１記載の放電ランプ用点灯装置。
【請求項３】
請求項１または２記載の放電ランプ用点灯装置と；
この放電ランプ用点灯装置により点灯される放電ランプと；
放電ランプを配設している器具本体と；
を具備していることを特徴とする照明器具。
【発明の詳細な説明】
【技術分野】
【０００１】
本発明は、放電ランプを点灯する放電ランプ用点灯装置および照明器具に関する。
【背景技術】
【０００２】
高圧ナトリウムランプやメタルハライドランプなどの高圧放電ランプ（ＨＩＤランプ）を点灯する放電ランプ用点灯装置は、従来から鉄心に銅線が巻かれた銅鉄型安定器が使用されているが、近年、半導体素子などの電子部品によって構成されたインバータ回路を有してなり、高圧放電ランプを高周波点灯するインバータ式電子安定器が使用されている。そして、このインバータ式電子安定器においても、インバータ回路などを覆うようにケース内に樹脂が充填され、電子部品などの放熱、電気絶縁や防水を図っている。
【０００３】
そして、ケース内に樹脂を充填するときに、例えばケース本体と蓋体や底板などとの接合部から樹脂が漏洩しないように当該接合部が目張りされている。例えば、底蓋とケースの接合部に充填材漏洩防止のための目張り用接着材が塗布されている放電灯用安定器が提供されている（特許文献１参照。）。
【０００４】
また、ケースを形成する複数の部品の接合部に接着材を塗布して接合する電磁機器が提供されている（特許文献２参照。）。この従来技術の電磁機器は、接着材が前記接合部の隙間を埋めたまま硬化するために充填物の充填時の漏れが防止されるというものである。
【特許文献１】特開平８−３３０１５９号公報（第２頁、第１図）
【特許文献２】特開平１１−２１４２３０号公報（第３頁、第１図）
【発明の開示】
【発明が解決しようとする課題】
【０００５】
特許文献１の放電灯用安定器および特許文献２の電磁機器は、接着材により接合部の隙間を塞ぐので、接着材の塗布や接着材の乾燥などの作業工程に時間を要して、製造物がコストアップするという欠点を有する。
【０００６】
本発明は、樹脂充填の作業性が向上する放電ランプ用点灯装置およびこの放電ランプ用点灯装置を具備する照明器具を提供することを目的とする。
【課題を解決するための手段】
【０００７】
請求項１に記載の放電ランプ用点灯装置の発明は、底板および側板を有して箱状に形成され、底板と側板との隙間および側板同士の隙間をそれぞれ閉塞するように、内面または外面の少なくとも一方に設けられた塗装被膜を有してなる金属製のケース本体と；放電ランプを点灯させる点灯回路を備えてケース本体に収納された点灯装置本体と；点灯装置本体の少なくとも一部を覆うようにケース本体の内部に充填された電気絶縁性の充填物と；ケース本体の開口を覆うように前記側板に取り付けられた金属製のケース蓋体と；を具備していることを特徴とする。
【０００８】
本発明および以下の各発明において、特に言及しない限り、各構成は以下による。
【０００９】
塗装は、例えば粉体塗装などにより、膜厚が厚く形成される塗装材を有することが好ましく、その材質は、例えばエポキシ、メラミン、アクリルなどである。そして、塗装は、ケース本体の接合部の隙間を閉塞することの他、ケース本体の防錆の役目も果たしている。
【００１０】
点灯装置本体は、放電ランプを高周波点灯させるインバータ式電子安定器に限らず、銅鉄型安定器のものであってもよい。
【００１１】
充填物は、電気絶縁性を有する他に、耐熱性および熱伝導性を有しているものが好ましく、例えばシリコーン樹脂などである。
【００１２】
「点灯装置本体の少なくとも一部を覆うように」とは、例えば屋外に設置される放電ランプ用点灯装置においては、防水のために点灯装置本体の全体を充填物で覆い、屋内に設置される放電ランプ用点灯装置においては、回路部品の一部分や例えば発熱部品を覆うようにするとよいことを意味している。
【００１３】
本発明によれば、ケース本体は、箱状に形成されていて、塗装により底板と側板との隙間および側板同士の隙間がそれぞれ閉塞されているので、ケース本体の内部に充填物を注入するのみで、ケースから充填物が漏れることなく、点灯装置本体が充填物で覆われる。
【００１４】
請求項２に記載の放電ランプ用点灯装置の発明は、請求項１記載の放電ランプ用点灯装置において、ケース本体は、長尺状で矩形の底板の各端側を底板に対して略直角に折曲して側板が形成され、側板と側板との合わせ目に形成された隙間が塗装により閉塞されていることを特徴とする。
【００１５】
本発明によれば、長尺状で矩形の底板の各端側を底板に対して略直角に折曲して側板が形成されるので、１枚の金属製の平板により、底板および側板を有する箱状のケース本体が形成される。
【００１６】
請求項３に記載の照明器具の発明は、請求項１または２記載の放電ランプ用点灯装置と；この放電ランプ用点灯装置により点灯される放電ランプと；放電ランプを配設している器具本体と；を具備していることを特徴とする。
【００１７】
本発明によれば、請求項１または２記載の放電ランプ用点灯装置を具備する照明器具が提供される。
【発明の効果】
【００１８】
請求項１の発明によれば、ケース本体に形成された塗装により、ケース本体の底板と側板との隙間および側板同士の隙間を閉塞するための作業が不要となり、ケース本体の内部で点灯装置本体を充填物で覆わせる作業時間を短縮することができ、この結果、放電ランプ用点灯装置を安価に形成することができる。
【００１９】
請求項２の発明によれば、底板および側板を結合して箱状のケース本体を製造するのではなく、１枚の金属製の底板により、底板および側板を有する箱状のケース本体を形成するので、ケース本体の製造に手間を要せず、ケース本体を安価に形成することができる。
【００２０】
請求項３の発明によれば、隙間を閉塞する塗装が形成されたケース本体を有する安価な放電ランプ用点灯装置を具備するので、安価な照明器具を提供することができる。
【発明を実施するための最良の形態】
【００２１】
以下、本発明の一実施の形態について、図面を参照して説明する。まず、本発明の第１の実施形態について説明する。
【００２２】
図１ないし図３は、本発明の第１の実施形態を示し、図１は放電ランプ用点灯装置の概略斜視図、図２は放電ランプ用点灯装置の概略断面図、図３はケース本体の角部における概略斜視図である。
【００２３】
図２において、放電ランプ用点灯装置１は、ケース本体２、点灯装置本体３、充填物４およびケース蓋体５を有して構成されている。
【００２４】
ケース本体２は、金属製例えばアルミニウムからなり、底板２ａ、底板２ａと略直角の側板２ｂ，２ｂおよび底板２ａと略直角の側板２ｃ，２ｃを有する箱状に形成されている。すなわち、ケース本体２は、一方に開口６を有し、他方が有底となっている。
【００２５】
そして、ケース本体２は、１枚の長尺状で矩形の底板（平板）２ａの角部を切断して除去した後、底板２ａの各端側を底板２ａに対して略直角に折り曲げて一対の側板２ｂ，２ｂおよび一対の側板２ｃ，２ｃがそれぞれ形成されている。そして、側板２ｃ，２ｃの上部に点灯装置本体３からのリード線（図示しない。）が引き出される複数の切り欠き部７が形成されている。
【００２６】
ケース本体は、上述したように、１枚のアルミニウムからなる底板（平板）２ａが折曲されることにより、底板２ａ、一対の側板２ｂ，２ｂおよび一対の側板２ｃ，２ｃを有する箱状に形成されている。すなわち、底板２ａ、一対の側板２ｂ，２ｂおよび一対の側板２ｃ，２ｃをそれぞれ個別に形成する場合に比較してケース本体２の製造に手間を要しないので、ケース本体２を容易に形成でき、安価に形成することができる。
【００２７】
そして、ケース本体２の内面には、図３に示すように、塗装（塗装被膜）８が形成されている。塗装８は、例えばエポキシ材を含み、粉体塗装により形成されていて、その膜厚は例えば約１０μｍである。そして、塗装８は、側板２ｂと側板２ｃとの合わせ目に形成された４箇所の角部の隙間を閉塞している。また、側板２ｂと側板２ｃとの合わせ目において、底板２ａと側板２ｂ，２ｃとの合わせ目を隙間なく閉塞している。なお、塗装（塗装被膜）８は、ケース本体２の外面側に形成されてもよく、内面側と外面側の両方に形成するようにしてもよい。
【００２８】
点灯装置本体３は、図２に示すように、回路基板９およびこの回路基板９に実装された点灯回路１０の電子部品および回路部品等を備えて形成されて、ケース本体２に収納されている。点灯回路１０は、放電ランプを高周波点灯させる周知の回路で構成され、例えば、電界効果トランジスタＦＥＴ１、ダイオードＤ１、ノイズフィルタ用のコンデンサおよびインダクタ、全波整流器、平滑用コンデンサＣ１、突入電流防止用の抵抗Ｒ１またはインダクタＬ１、チョークバラスト、直流カット用コンデンサ、共振用コンデンサ、共振用インダクタ、トランスおよびサイリスタ等のスイッチング素子などを備えている。
【００２９】
回路基板９は長方形状の例えばガラスエポキシ材やポリブチレンテレフタレート（ＰＢＴ）材などからなり、ケース本体２の底板２ａの内面と所定の間隔を有して、Ｌ形形状の支持金具１１に取り付けられている。この支持金具１１は、押え板１２およびねじ１３により、ケース本体２の側板２ｂの内面側に固定されている。
【００３０】
そして、ケース本体２の内部には、電気絶縁性の充填物４が充填されている。充填物４は、点灯装置本体３の全体を覆うように充填されていて、ケース本体２の非底板側の内部は、非充填空間となっている。充填物４は、高熱伝導性を有する例えばシリコーン樹脂からなり、点灯回路１０の電子部品や回路部品等から発生した熱をケース本体２に伝熱させて、ケース本体２から放熱させる。これにより、点灯回路１０の電子部品や回路部品等の温度上昇が抑制されて、電子部品や回路部品等の熱劣化や品質の低下の防止が図られる。
【００３１】
ケース蓋体５は、金属製例えばアルミニウムからなり、ケース本体２の開口６を覆うようにケース本体２の側板２ｂ，２ｂに取り付けられている。ケース蓋体５は、１枚の長尺状で矩形の水平板（平板）５ａの左右の端側を水平板５ａに対して略直角に折り曲げて一対の側板５ｂ，５ｂを形成している。そして、側板５ｂ，５ｂ間にケース本体２の側板２ｂ，２ｂを嵌め込み、側板５ｂ，５ｂをケース本体２の側板２ｂ，２ｂに複数のねじ１４により固定している。
【００３２】
また、ケース蓋体５は、図１に示すように、水平板（平板）５ａの長手方向の各端側が略直角に折曲されて、Ｌ形の側板５ｃおよび取付板５ｄを形成している。そして、一方の側板５ｃに入力用端子台１５が取り付けられ、他方の側板５ｃに出力用端子台１６が取り付けられている。そして、取付板５ｄ，５ｄが照明器具の器具本体などに固定されることにより、放電ランプ用点灯装置１は、照明器具に配設される。
【００３３】
放電ランプ用点灯装置１は、上述したように構成されている。そして、点灯装置本体３は、回路基板９が支持金具１１に取り付けられた後に、ケース本体２の内部に挿入され、支持金具１１が押え板１２およびリベット１３によりケース本体２の側板２ｂに固定されることにより、ケース本体２に収納される。
【００３４】
そして、点灯装置本体３をケース本体２に収納した後に、ケース本体２の内部に点灯装置本体３を覆うことのできる所定量の充填物４が注入される。
【００３５】
ケース本体２の内面には、所定の膜厚の塗装８が形成されているので、箱状に形成されたケース本体２の４箇所の角部の側板２ｂと側板２ｃとの合わせ目の隙間と、底板２ａと側板２ｂ，２ｃとの隙間は閉塞している。これにより、ケース本体２の内部に注入された充填物４がケース本体２の４箇所の角部の側板２ｂと側板２ｃとの合わせ目から漏れなくなる。すなわち、ケース本体２から充填物４が漏れることが防止される。
【００３６】
そして、充填物４が固化し、充填物４のガス抜きを終えると、ケース蓋体５がケース本体２の開口６を覆うようにケース本体２の側板２ｂ，２ｂに取り付けられる。
【００３７】
上述したように、ケース本体２の内面に形成された塗装８により、ケース本体２の内部に充填物４を注入する前に、ケース本体２の４箇所の角部の側板２ｂと側板２ｃとの合わせ目の隙間と、底板２ａと側板２ｂ，２ｃとの隙間を閉塞するための作業が不要となる。この結果、点灯装置本体３を充填物４で覆わせる作業時間が短縮され、充填物４の充填に対する作業性が向上する。これにより、放電ランプ点灯装置１の製造性を向上させることができて、放電ランプ用点灯装置１を安価にすることができる。
【００３８】
次に、本発明の第３の実施形態について説明する。
【００３９】
図４および図５は、本発明の第３の実施形態を示し、図４は段付ポールに取り付けられた状態の照明器具の概略外観図、図５は照明器具の一部切り欠き概略断面図である。なお、図１と同一部分には、同一符号を付して説明は省略する。
【００４０】
図４に示す照明器具１７は、街路灯である。街路灯１７は、器具本体としての街路灯本体１８がジョインターアーム１９を介して中空の段付ポール２０に取り付けられている。そして、段付ポール２０は、地中２１に一部埋設されたコンクリート基礎２２に立設されている。
【００４１】
段付ポール２０は、開閉蓋２３の部位の内部に図１に示す放電ランプ用点灯装置１が収納されている。そして、電源用穴２４を介して外部より図示しない電源線およびアース線が導入され、段付ポール２０内において、放電ランプ用点灯装置１から導出されている入力リード線およびアース線にそれぞれ接続されている。そして、放電ランプ用点灯装置１の出力リード線が街路灯本体１８に配線されている。
【００４２】
街路灯本体１８は、図５に示すように、下面に開口を有する略箱状に形成されており、ソケット台２５、ランプソケット２６、放電ランプとしての高圧放電ランプ２７および反射板２８などを配設している。ランプソケット２６は、放電ランプ用点灯装置１の出力リード線と接続されている。高圧放電ランプ２７は、例えばメタルハライドランプが用いられている。
【００４３】
そして、放電ランプ用点灯装置１に電源線を介して外部電源が投入されると、メタルハライドランプ２７が点灯する。メタルハライドランプ２７より放射された直接光および反射板２８で放射された反射光は、街路灯本体１８の開口から路面に出射される。こうして、街路灯１７は、路面を照明する。
【００４４】
そして、街路灯１７は、安価に形成される放電ランプ用点灯装置１を具備するので、安価にすることができる。
【図面の簡単な説明】
【００４５】
【図１】本発明の第１の実施形態を示す放電ランプ用点灯装置の概略斜視図。
【図２】同じく、放電ランプ用点灯装置の概略断面図。
【図３】同じく、ケース本体の角部における概略斜視図。
【図４】本発明の第２の実施形態を示す段付ポールに取り付けられた状態の照明器具の概略外観図。
【図５】同じく、照明器具の一部切り欠き概略断面図。
【符号の説明】
【００４６】
１…放電ランプ用点灯装置
２…ケース本体
３…点灯装置本体
４…充填物
５…ケース蓋体
１７…照明器具としての街路灯
１８…器具本体としての街路灯本体
２７…放電ランプとしてのメタルハライドランプ
【図１】
2007273361.tif 000003
【図２】
2007273361.tif 000004
【図３】
2007273361.tif 000005
【図４】
2007273361.tif 000006
【図５】
2007273361.tif 000007